(57)【要約】【課題】容器の内側に描かれた文字または図形を、飲料を飲む前には見ることが出来ず、飲料を飲むに従って前記文字または図形を見ることが出来るようにした二重容器を提供する。【解決手段】外容器と内容器を備えた光透過性液体を入れる二重容器において、内容器（２０）は光透過性部材からなり、外容器１０の内側面１０ａと内容器の外側面２０ａとの間の少なくとも一部に空間Ｇを有すると共に、前記外容器の内側面に文字または図形ＭＺの少なくとも一方を描いた。【選択図】    図４
2004224364.tif 000002
【特許請求の範囲】
【請求項１】
外容器と内容器を備えた光透過性液体を入れる二重容器において、
前記内容器は光透過性部材からなり、前記外容器の内側面と内容器の外側面との間の少なくとも一部に空間を有すると共に、前記外容器の内側面に文字または図形の少なくとも一方を描いてなることを特徴とする二重容器。
【請求項２】
請求項１記載の二重容器において、
前記外容器が、光透過性部材よりなることを特徴とする二重容器。
【請求項３】
請求項１記載の二重容器において、
前記外容器が、非光透過性部材よりなることを特徴とする二重容器。
【請求項４】
請求項３記載の二重容器において、
前記非光透過性部材よりなる外容器の一部が、光透過性部材よりなることを特徴とする二重容器。
【請求項５】
請求項２または請求項４記載の二重容器において、
前記外容器の光透過性部材の外側面に、文字または図形の少なくとも一方を描いてなることを特徴とする二重容器。
【請求項６】
請求項１〜請求項５記載の二重容器において、
前記内容器と外容器との間の空間に、前記内容器の構成部材よりも光屈折率の小さい光透過性材を充填したことを特徴とする二重容器。
【請求項７】
請求項６記載の二重容器において、
前記光透過性材が、空気であることを特徴とする二重容器。
【請求項８】
請求項１〜請求項７記載の二重容器において、
前記文字または図形が、籤の当選結果であることを特徴とする二重容器。
【発明の詳細な説明】
【０００１】
【発明の属する技術分野】
本発明は、二重容器に関し、特に、容器の内側に描かれた文字または図形を、飲料を飲む前には見ることが出来ず、飲料を飲むに従って前記文字または図形を見ることが出来るようにした二重容器に関する。
【０００２】
【従来の技術】
例えば、列車で旅行する際に、紙コップ等の飲用容器に入った日本酒等の飲料を購入する場合があり、この紙コップの内側に、地方の名所旧跡の案内等が描かれていることがある。
【０００３】
【発明が解決しようとする課題】
しかしながら、飲用容器の内側に描かれている名所旧跡の案内等は、飲料を飲み干す前でも見ることが出来るので、飲料を飲み干す前後で、飲用容器の内側に大きな変化は見られない。
【０００４】
本発明は、上記の事情に鑑みなされたもので、容器の内側に描かれた文字または図形を、飲料を飲む前には見ることが出来ず、飲料を飲むに従って前記文字または図形を見ることが出来るようにした二重容器を提供することを目的とする。
【０００５】
【課題を解決するための手段】
上記目的を達成するため請求項１記載の発明は、外容器１０と内容器２０を備えた光透過性液体を入れる二重容器において、
前記内容器（図３の２０）は光透過性部材からなり、前記外容器１０の内側面１０ａと内容器の外側面２０ａとの間の少なくとも一部に空間Ｇを有すると共に、前記外容器の内側面に文字または図形ＭＺの少なくとも一方を描いてなる構成としてある。
【０００６】
このようにすれば、内容器に光透過性液体（例えば、日本酒）を入れたとき、光透過性液体の液面より下に位置する外容器の内側面に描かれた文字・図形から出た光が、外容器と内容器の間の空間、内容器を構成する光透過性部材、内容器に入れた光透過性液体および外部の空気層のそれぞれの境界面で、それぞれを構成する物質の光屈折率の違いにより屈折を起す。
【０００７】
この屈折により、例えば図４（Ａ），（Ｂ）に示すように、二重容器の外から光透過性液体の液面を覗く角度あるいは液体の量によって、前記光、言い換えれば外容器の内側面に描かれた文字または図形を見えないようにすることが出来る。
【０００８】
次に請求項２記載の発明は、請求項１記載の二重容器において、
前記外容器は、光透過性部材よりなる構成としてある。
このようにすれば、光透過性部材よりなる外容器の内側面に描かれた文字または図形は、二重容器の外側の側面からは常に見ることが出来る。ところが、二重容器に光透過性液体を入れたとき、光透過性液体の液面の上方向から覗く場合、覗く角度あるいは光透過性液体の量によって、外容器の内側面に描かれた文字または図形を見えないようにすることが出来る。
【０００９】
従って、例えば前記外容器の内側面の全面に彩色（例えば、赤色のベタ塗り）を施しておけば、光透過性液体が二重容器に入っているとき、二重容器を外側の側面から見るときは、常に前記彩色された色を見ることが出来るが、液面の上方向から見るときは、見る角度によっては前記彩色を見えないようにすることが出来る。
このことは、例えば二重容器を光透過性液体飲料の飲用容器として用いるときに、単に容器としての効用の他に、飲む人に楽しみを与える効果がある。
【００１０】
次に請求項３の発明は、請求項１記載の二重容器において、
前記外容器は、非光透過性部材よりなる構成としてある。
【００１１】
このようにすれば、非光透過性部材よりなる外容器の内側面に描かれた文字または図形は、二重容器の外側の側面からは見えないが、空の二重容器の上方からは外容器の内側面を見ることが出来る。ところが、二重容器に光透過性液体を入れたとき、光透過性液体の液面の上方向から覗く場合、覗く角度あるいは光透過性液体の残量によって、外容器の内側面に描かれた文字または図形を見えたり見えなかったりするように、出来る。
【００１２】
次に、請求項４の発明は、請求項３記載の二重容器において、
前記非光透過性部材よりなる外容器の一部を、光透過性部材よりなる構成としてある。
【００１３】
このようにすれば、例えば図８に示すように、外容器の光透過性部材で構成されている一部分に限定して、請求項２〜請求項３の発明の効果を得られるので、例えば二重容器を飲用容器の用に供するとき、人の注意を向けやすくすることが出来る。
【００１４】
次に請求項５の発明は、請求項２または請求項４記載の二重容器において、
前記外容器の光透過性部材の外側面に、文字または図形の少なくとも一方を描いてなる構成としてある。
【００１５】
このようにすれば、二重容器に光透過性液体を入れたとき、外容器の光透過性部材の外側面に描かれた文字または図形は、液面の上方向から常に見ることが出来るが、外容器の内側面に描かれた文字または図形は、液面の高さあるいは液面の上方向から見る角度によって見ることが出来なくするように出来るので、文字または図形の変化を楽しむことが出来る。
【００１６】
次に請求項６記載の発明は、請求項１〜請求項５記載の二重容器において、
前記内容器と外容器との間の空間に、前記内容器の構成部材よりも光屈折率の小さい光透過性材を充填した構成としてある。
【００１７】
このようにすれば、空間に充填した光透過性材によって、請求項１〜請求項５の効果と同等の効果を確保しつつ、二重容器の例えば断熱性あるいは機械的強度等を増すことが出来る。
【００１８】
次に請求項７記載の発明は、請求項６記載の二重容器において、
前記光透過性材が、空気である構成としてある。
このようにすれば、二重容器の製造を空気中で行うことにより外容器の内側面と内容器の外側面との間に空気による空間を簡単に構成することが出来るので、例えば図３に示した構成を容易に得ることが出来る。また、空気は断熱材であるので、保温効果を発揮することが出来る（例えば、お燗した日本酒の温度確保）。
【００１９】
次に請求項８記載の発明は、請求項１〜請求項７記載の二重容器において、
前記文字または図形が、籤の当選結果である構成としてある。
このようにすれば、例えば日本酒入りの二重容器を購入した人への、おまけの当たり籤の当選結果を記載しておけば、日本酒等を二重容器から飲み干すことによって初めて当選結果が分かるようにすることが出来る。
【００２０】
【発明の実施の形態】
以下、本発明の二重容器を図示の実施形態に基づいて説明する。
（１）第１の実施形態
図１は本実施形態の分解斜視図であり、図２は本実施形態を構成する外容器に内容器を嵌め込んだ外観図であって、（Ａ）は外観斜視図、（Ｂ）は側面図、図３は本実施形態を構成する外容器に内容器を嵌め込んだ状態の一部断面にした図である。
【００２１】
図１〜図３に示すように、本実施形態の二重容器ＤＢは、外容器１０と、内容器２０と、シール蓋３０と、外蓋４０とを備えてなる。
外容器１０は光を透過しない「非光透過性」の紙製であり、両面をプラスチックによりコーティングすることにより、防水性，撥水性を確保する。
【００２２】
内容器２０は透明なプラスチックを成形して構成し、成形の際の抜き勾配を持たせてある（後述）。この抜き勾配の角度と、外容器１０の側面角度とは同一である。プラスチックの材質としては、ポリエチレンテレフタレート樹脂が好適である。
【００２３】
シール蓋３０は二重容器ＤＢに日本酒等の飲料を充填した際に、密封し日本酒等の漏れを防止する。材質としてはアルミ合金シートが好適である。３０ａはシール蓋３０を剥がす際に指等で摘む「つまみ」である。
外蓋４０は、例えばシール蓋３０を剥がして日本酒を途中まで飲んだ際に、残りの日本酒等を仮封する場合に使用する。外蓋４０の材質としては、ポリエチレンテレフタレートが好適である。
【００２４】
そして、図３に示すように、内容器２０の上面の縁２０ｃを外容器１０の上面の縁１０ｂを覆うように折り返し、内容器２０を外容器１０に加熱等により固定する。
このように構成した二重容器ＤＢ（図１参照）中に、例えば日本酒ＥＤ（図４（Ａ），（Ｂ）参照）を充填して顧客に販売する。顧客は外蓋４０およびシール蓋３０を外して、日本酒ＥＤを飲む。すると、図４（Ａ）に示すように、シール蓋３０を外した直後の段階では、日本酒ＥＤが十分に充填されているので、人間の眼Ｉには文字・図形ＭＺが見えない。
【００２５】
しかし、日本酒ＥＤの半分強を飲んだ段階では、図４（Ｂ）に示すように、「富士山の図形」は見えるようになるが、まだ日本酒ＥＤが残っている部分に印刷された「富士山の文字」は見えないままである。
なお、前記「文字」には、漢字，ローマ字等の文字以外に、数字，記号等を含む。また、「図形」には、彩色（例えば、ベタ塗り）や部分色づけを含む。
【００２６】
以下、本実施形態の作用を、図５，図６を参照しつつ詳細に説明する。
図５は水Ｗを充填した状態における図２（Ｂ）のＡ−Ａ’線に沿う断面図、図６は外容器の内側面に描かれた文字・図形から進む光の屈折状態を説明する図である。
図５に示すように、外容器１０の内側面１０ａと内容器２０の外側面２０ａの間には、空気の充填された空間Ｇが形成されている。内容器２０には水Ｗを充填しておく。この水Ｗを充填した二重容器を、二重容器ＤＢ１と呼ぶ。
【００２７】
図６において、角度ａ〜角度ｆ，角度αは、それぞれ以下の角度を表わす。
角度ａ，角度ｂは、それぞれ外容器の内側面１０ａに描かれた文字・図形ＭＺから進んだ光の、内容器の外側面２０ａにおける入射角および屈折角を表す。
角度ｃ，角度ｄは、それぞれ前記光が内容器の内側面２０ｂと水Ｗとの境界に達する点における、入射角及び屈折角を表す。
【００２８】
角度ｅ，角度ｆは、それぞれ前記光が水Ｗと水Ｗの液面上側の空気層ＵＳの境界に達する点における、入射角および屈折角を表す。
また、角度αは内容器２０の内側面２０ｂに形成した傾斜の垂直方向に対する角度である。
【００２９】
空間Ｇの光の屈折率をｎ１、内容器２０の光の屈折率をｎ２、水Ｗの光の屈折率をｎ３、水液面上側の空気層ＵＳの光の屈折率をｎ４とすると、光の屈折の法則を適用すれば次式が成り立つ。
【００３０】
Ｓｉｎ  ａ／Ｓｉｎ  ｂ＝ｎ２／ｎ１・・・（式１）
Ｓｉｎ  ｃ／Ｓｉｎ  ｄ＝ｎ３／ｎ２・・・（式２）
Ｓｉｎ  ｅ／Ｓｉｎ  ｆ＝ｎ４／ｎ３・・・（式３）
また
ｅ＝９０°−（ｄ＋α）・・・（式４）
が成り立つ。
また、内容器の側面の厚みが均一である場合は、ｂ＝ｃとなる。
【００３１】
図５に示すように、内容器２０は開口部の内径が６０ｍｍの円錐で、深さ８０ｍｍとする。内容器２０の側面は開口部より底部に向かって垂直方向と３°の勾配をもつ厚さ０．３ｍｍであり、光の屈折率が１．５である無色透明なポリエチレンテレフタレート樹脂で構成してある。
【００３２】
また、外容器の内側面１０ａと内容器の外側面２０ａとの間の空間距離は、０．３ｍｍに構成してあり、光の屈折率が１の空気で満たされているものとする。
内容器２０に光の屈折率１．３の水Ｗを７０ｍｍの深さまで入れたものとし、水面より下の外容器の内側面１０ａに文字・図形ＭＺが描かれている。
また、二重容器ＤＢ１は、光の屈折率が１の空気中に置かれている。
【００３３】
前記３°の勾配は、内容器２０をプラスチック成形するときの金型の抜き勾配である。この抜き勾配は、内容器２０をプラスチック成形で作成するときの成型作業を容易にするためのものであり、図６の角度αに相当する。
【００３４】
次に、二重容器ＤＢ１の場合、文字・図形ＭＺから出た、どのような光が、どのような条件の時に水面上方から見ることが出来るかを説明する。
【００３５】
先ず、図７（Ａ）〜（Ｃ）に基いて、水中を進む光を水面上方から見ることが出来る条件を説明する。
この場合は、「水面上方から見ることが出来る」ということは、光が水Ｗの上面に出てくると言うことであるから「角度ｆが０°以上、９０°未満」となるので、角度ｆ、水の屈折率（＝１．３）  および空気の屈折率（＝１）を（式３）に当てはめると
約  ０°＜ｅ＜約５０．３°・・・（式５）
が得られる。
【００３６】
即ち、（式５）を満たす角度ｅで水中から水面に向かってくる光のみが、水面の上に出て来るので水面上方から見ることが出来（図７（Ａ））、角度ｅが約５０．３°以上の場合は、水面で反射し再び水中に戻ってしまい、水面上方からは見ることが出来ない（図７（Ｃ））。
なお、図７（Ｂ）の場合は、光の進行方向から見たときのみ、文字・図形ＭＺを見ることが出来、例えば上方から見た場合は文字・図形ＭＺを見ることが出来ない。
【００３７】
次に、文字・図形ＭＺから出た光がどのようにして光の進路Ｌを通っていくかを説明する。
二重容器ＤＢ１の場合、文字・図形ＭＺから出た光が、内容器の外側面２０ａに入射したとき、入射点において内容器の外側面に垂直な線より３°以上下側に向かって内容器に入射するときは、前記光が水面に向かう方向とは逆の方向に屈折するので水面上に光は届かず、二重容器ＤＢ１の水面上方から見える光の進路Ｌはとらない。
【００３８】
従って、文字・図形ＭＺから出た光が、二重容器の外部上面から見える可能性のある光の進路Ｌを通るのは、外容器の内側面１０ａと内容器の外側面２０ａとの間の空間距離および水の深さを考慮すると、
約−３°＜ａ＜約８７．５°・・・・（式６）
の場合である。
【００３９】
（式１）に（式６）およびｎ１＆ｓｈｙ；＝１，ｎ２＝１．５を代入すると、
約−２°＜ｂ＜約４１．８°・・・（式７）
が得られる。
【００４０】
二重容器ＤＢ１の場合、内容器２０の厚みは均一なので角度ｂ＝ｃとなることから（式２）および（式７）より
約−２．３°＜ｄ＜約５０．３°・・・（式８）
が得られる。
【００４１】
また、（式４）および（式８）から
約３６．７°＜ｅ＜約８９．３°・・・（式９）
が得られる。
【００４２】
外容器の内面に描かれた文字・図形から出た光の内（式９）を満たす光であってかつ式（式５）を満たす角度ｅを持つ光のみが、二重容器ＤＢ１に入れた液面上方に出て来ることが出来、即ち前記光のみが液面の上方から見ることが出来る。そのときの角度ｅの値は（式５）および（式９）から
約３６．７°＜ｅ＜約５０．３°・・・（式１０）
となる。
【００４３】
（式１０）が成り立つときの角度ｆは、（式３）および（式１０）から
約５１°＜ｆ＜約９０°・・・（式１１）
となる。
【００４４】
（式１１）で示したように、液面より下の外容器の内側面１０ａから出た光は、液面に垂直な線となす角度が約５１°以上で液面の上方へ出てくるということが分かる。
【００４５】
言い換えれば、液面に垂直な線となす角度が約５１°未満で、液面の上方から二重容器ＤＢ１の中を見ても、外容器の内側面１０ａの液面より下側に描かれた文字・図形ＭＺは見ることが出来ないことになる。
前記約５１°未満の角度は、二重容器ＤＢ１で水を飲むときには十分確保できるので、発明の効果（水Ｗを飲むに従って文字・図形ＭＺが見えてくる）は、十分発揮することが出来る。
【００４６】
また、二重容器ＤＢ１を液面に垂直な線となす角度が約５１度の角度以上から見たときには、水面下の文字・図形ＭＺから出る光は見ることが出来る。
しかし、図６の「液面上側に出てくる光を進行方向逆向きに延長した線」Ｌａから分かるように、文字・図形ＭＺは垂直方向に圧縮されて見えるので、水面下の外容器の内側面１０ａに何が描かれているかは判別しにくい場合もあり、発明の効果が期待できる。
【００４７】
（２）第２の実施形態
図８は、本実施形態の日本酒を充填した二重容器ＤＢ２の外観斜視図である。図８に示すように、非光透過性の外容器１０の一部の側面に窓１１を形成し、該窓１１を、防水性を確保して透明プラスチック１２により覆う。
【００４８】
このようにすれば、例えば日本酒を二重容器ＤＢ２に充填した場合に、二重容器ＤＢ２の外側から窓１１を通して対面の外容器１０の内側面に描かれた文字・図形ＭＺを見ることが可能となる。ところが、外容器１０の上方から見た場合は、前記文字・図形ＭＺを見ることが出来ない、という効果を得ることが可能となる。
【００４９】
なお、前記第１の実施形態では外容器を「非光透過性」の紙で構成する場合を説明したが、外容器を内容器と同様の「光透過性」のプラスチックにより構成してもよい。この場合は外容器の内側面に描いた文字・図形を外容器の外側から見ることが可能となり、また外容器の外面側を全面彩色（例えば、赤色のベタ塗り）すれば、内側面の文字・図形を外容器の外側から見えなくすることが出来る。
【００５０】
また、外容器の内側面に、例えば日本酒入りの二重容器を購入した人への、おまけの当たり籤の当選結果を数字，文字，記号等によって表示しておけば、日本酒等を二重容器から飲み干すことによって初めて当選結果が分かるようにすることが出来るので、当たり籤付きの日本酒等の容器としても使用することが出来る。
【００５１】
【発明の効果】
以上説明したように本発明によれば、以下の効果を発揮することができる。
請求項１記載の発明によれば、二重容器に液体を入れたとき、液体が光透過性のものであっても、二重容器の液面上方から覗いたとき、覗く方向によっては二重容器の内側面の液面より下の部分に描かれた文字・図形を見ることが出来ないようにすることが可能になる。
【００５２】
また、光透過性液体の液面が下がるにつれ、液面より上方に位置する二重容器の内側面に描かれた文字・図形が現れ、二重容器の液面上方から見ることが出来るようにすることが可能になる。
【００５３】
請求項２記載の発明によれば、外容器の内側面に描かれた文字または図形は、二重容器の外側の側面からは常に見ることが出来るが、二重容器に光透過性液体を入れたとき、液面を上方向から覗く角度と光透過性液体の残量によって、外容器の内側面に描かれた文字または図形を見えないようにすることが出来る。
【００５４】
請求項３記載の発明によれば、外容器の内側面に描かれた文字または図形は、二重容器の外側の側面からは見えないが、二重容器の上方からは内側面を見ることが出来る。しかし、二重容器に光透過性液体を入れたとき、光透過性液体の液面の上方向から覗く場合、覗く角度あるいは光透過性液体の残量によって、外容器の内側面に描かれた文字または図形を見えないようにすることが出来る。
【００５５】
請求項４記載の発明によれば、外容器の一部のみを光透過性部材で構成してあるので、請求項２記載の発明の効果に、人の注意を喚起しやすくできる。
【００５６】
請求項５記載の発明によれば、外容器の光透過性部材の外側面に描かれた文字または図形は、二重容器に光透過性液体を入れたとき、二重容器の外側の側面からでも液面の上方向からでも常に見ることが出来るが、外容器の内側面に描かれた文字または図形は、液面の高さあるいは液面の上方向から見る角度によって見ることが出来なくするように出来るので、文字または図形の見え方の変化を楽しむことが出来る。
【００５７】
請求項６記載の発明によれば、請求項１〜請求項５記載の発明の効果を失うことなく空間に充填した光透過性材によって、二重容器の断熱性あるいは機械的強度等を増すことが出来る。
【００５８】
請求項７記載の発明によれば、二重容器の製造を空気中で行うことにより外容器の内側面と内容器の外側面との間に空気による空間を簡単に構成することが出来るので、本発明の構成を容易に得ることが出来る。
【００５９】
請求項８記載の発明によれば、例えば日本酒・飲料水等を二重容器から飲み干すことによって初めて当選結果が分かり、顧客へのサービスとなり、販売促進に役立つ。
【図面の簡単な説明】
【図１】本発明の第１の実施形態の分解斜視図である。
【図２】同実施形態を構成する外容器に内容器を嵌め込んだ外観図であって、（Ａ）は外観斜視図、（Ｂ）は側面図である。
【図３】同実施形態を構成する外容器に内容器を嵌め込んだ状態の一部断面にした図である。
【図４】同実施形態における作用を説明する図であって、（Ａ）はシール蓋を外した直後の段階では、人間の眼には文字・図形が見えないことを示す図、（Ｂ）は「富士山の図形」は見えるが、まだ「富士山の文字」は見えないままであることを示す図である。
【図５】同実施形態における水を充填した状態の図２（Ｂ）のＡ−Ａ’線に沿う断面図である。
【図６】同実施形態における、外容器の内側面に描かれた文字・図形から進む光の屈折状態を説明する図である。
【図７】同実施形態において、水中を進む光が水面の上側の人間の眼の位置によって光が見える場合と、見えない場合の、光の屈折状態を説明する図である。
（Ａ）は、水面上側で光の進行方向上に置かれた人間の眼によって、光が見える状態を示す図である。
（Ｂ）は、水面上側で光の進行方向上と異なる位置に置かれた人間の眼では、光を見ることが出来ないことを示す図である。
（Ｃ）は、光が水面で反射し水面上側には進行しないため、人間の眼がどこにあっても光を見ることが出来ない状態を示す図である。
【図８】本発明の第２の実施形態を示す図であって、二重容器に透明な窓を形成した斜視図である。
【符号の説明】
ＤＢ  二重容器
ＤＢ１  水を充填した二重容器
ＤＢ２  透明窓を形成した二重容器
ＥＤ  日本酒
Ｇ  空間
Ｉ  人間の眼
Ｉａ  光の進行方向上に置かれた人間の眼
Ｉｂ  光の進行方向上と異なる位置に置かれた人間の眼
Ｌ  光の進路
Ｌａ  液面上側に出てくる光を進行方向逆向きに延長した線
ＭＺ  文字・図形
ＵＳ  液面上側の空気層
Ｗ  水
ＷＳ  水面
１０  外容器
１０ａ  外容器の内側面
１０ｂ  外容器の上面の縁
１１  窓
１２  透明プラスチック
２０  内容器
２０ａ  内容器の外側面
２０ｂ  内容器の内側面
２０ｃ  内容器の上面の縁
２０ｄ  内容器の上面の縁の折り返し部
３０  シール蓋
３０ａ  つまみ
４０  外蓋
ａ°  外容器の内側面に描かれた文字・図形ＭＺから出た光が内容器の外側面に達したときの入射角。
ｂ°  外容器の内側面に描かれた文字・図形ＭＺから出た光が内容器の外側面に達した後、内容器に進入するときの屈折角。
ｃ°  外容器の内側面に描かれた文字・図形ＭＺから出た光が、内容器と光透過性液体の境界に達したときの入射角。
ｄ°  外容器の内側面に描かれた文字・図形ＭＺから出た光が内容器と光透過性液体の境界に達した後に光透過性液体に進入するときの屈折角。
ｅ°  外容器の内側面に描かれた文字・図形ＭＺから出た光が、光透過性液体の液面に達したときの入射角。
ｆ°  外容器の内側面に描かれた文字・図形ＭＺから出た光が、光透過性液体の液面に達した後、光透過性液体の液面上側の空気層に進入するときの屈折角。
【図１】
2004224364.tif 000003
【図２】
2004224364.tif 000004
【図３】
2004224364.tif 000005
【図４】
2004224364.tif 000006
【図５】
2004224364.tif 000007
【図６】
2004224364.tif 000008
【図７】
2004224364.tif 000009
【図８】
2004224364.tif 000010